(57)【要約】【課題】自力で立ち上がることが困難な老人や肢体不自由者，病人等の要介護者に力を貸す介護者が、その介護を容易にするために装着する介護者装着用ベルトであって、何人でも衣服の上から簡単に羽織ることができるようにする。【解決手段】両端部に互いに係脱自在となる止具３ａ，３ｂが設けられ有効長を調節可能とした胴巻ベルト部分１と、介護者の左右両肩部から胸部に亘って垂下し下端部が前記胴巻ベルト部分に係着され有効長を調節可能とした肩掛ベルト部分２とからなり、該肩掛ベルト部分に帯状布１３を縫い付けることにより要介護者がつかまり得る把手１４，１５を介護者の胸部の左右に少なくとも２つ高低差をもって位置するように形成した。【選択図】　図２
0003097737.tif 000002
【実用新案登録請求の範囲】
【請求項１】
両端部に互いに係脱自在となる止具が設けられ有効長を調節可能とした胴巻ベルト部分と、介護者の左右両肩部から胸部に亘って垂下し下端部が前記胴巻ベルト部分に係着され有効長を調節可能とした肩掛ベルト部分とからなり、該肩掛ベルト部分に帯状布を縫い付けることにより要介護者がつかまり得る把手を介護者の胸部の左右に少なくとも２つ高低差をもって位置するように形成したことを特徴とする介護者装着用ベルト。
【請求項２】
両端部に互いに係脱自在となる止具が設けられ有効長を調節可能とした胴巻ベルト部分と、介護者の首に掛けられ介護者の左右両肩部から胸部に亘って垂下し下端部が前記胴巻ベルト部分に係着され有効長を調節可能とした肩掛ベルト部分とからなり、該肩掛ベルト部分に帯状布を縫い付けることにより要介護者がつかまり得る把手を介護者の胸部の左右に少なくとも２つ高低差をもって位置するように形成したことを特徴とする介護者装着用ベルト。
【請求項３】
両端部に互いに係脱自在となる止具が設けられ有効長を調節可能とした胴巻ベルト部分と、介護者の左右両肩部から胸部に亘って垂下し下端部が前記胴巻ベルト部分に係着され有効長を調節可能とした２本の肩掛ベルト部分とからなり、該肩掛ベルト部分に帯状布を縫い付けることにより要介護者がつかまり得る把手を介護者の胸部の左右に少なくとも２つ高低差をもって位置するように形成したことを特徴とする介護者装着用ベルト。
【請求項４】
両端部に互いに係脱自在となる止具が設けられ有効長を調節可能とした胴巻ベルト部分と、介護者の左右両肩部から胸部に亘って垂下し下端部が前記胴巻ベルト部分に係着され有効長を調節可能とした肩掛ベルト部分とからなり、該肩掛ベルト部分に帯状布を縫い付けることにより要介護者がつかまり得る把手を介護者の胸部の左右に少なくとも２つ高低差をもって位置するように形成するとともに、前記肩掛ベルト部分の下端部を前記胴巻ベルト部分にスライド可能に係着したことを特徴とする介護者装着用ベルト。
【請求項５】
両端部に互いに係脱自在となる止具が設けられ有効長を調節可能とした胴巻ベルト部分と、介護者の左右両肩部から胸部に亘って垂下し下端部が前記胴巻ベルト部分に係着され有効長を調節可能とした肩掛ベルト部分とからなり、該肩掛ベルト部分に帯状布を縫い付けることにより要介護者がつかまり得る把手を介護者の胸部の左右に少なくとも２つ高低差をもって位置するように形成するとともに、前記胴巻ベルト部分に要介護者がつかまり得る把手をスライド可能に設けたことを特徴とする介護者装着用ベルト。
【考案の詳細な説明】
【０００１】
【考案の属する技術分野】
本考案は、自力で立ち上がることが困難な老人や肢体不自由者，病人等の要介護者に力を貸す介護者が、その介護を容易にするために装着する介護者装着用ベルトに関するものである。
【０００２】
【従来の技術】
【特許文献１】
特許第３０４３６７７号公報
【０００３】
上記特許文献１に開示された介護者用着衣は、要介護者が立ち上がる時等につかまり得るつかまり部を上着やエプロン等の衣服に縫い付けることにより、要介護者を便器に座らせたり着換えさせたりする際の介護者の労力を軽減させ介護を容易にするためのものである。
即ち、介護者の着衣に縫い付けられたつかまり部を要介護者がつかまることにより、介護者の力不足を補い、介護の労力を軽減させるとともに、転倒等の事故を防ごうとするものである。
【０００４】
【考案が解決しようとする課題】
ところで上記介護者用着衣では、上着やエプロン等の衣服自体に要介護者の重みが掛かるので、衣服自体をその荷重に耐え得るように丈夫に作る必要があり、そのために布地が厚手となることは避けられないものであったので、製服のためのコストが高くなるだけでなく、着用できる時期やデザインが制限され、毎日の洗濯も容易でないという問題があった。
【０００５】
また、特に介護者の胸部前面に要介護者がつかまるところがなかったので、介護者の着衣の前身頃がつかまれ、その着衣の前ボタンがちぎれるようなおそれがあった。また、着衣であると、デザインやサイズが万人に合致するものではないので、常に多数種の着衣を準備しなければならず、非常にコストが掛かるという問題があった。
【０００６】
また、一般に要介護者を起き上がらせようとする場合、要介護者の両手を介護者の首の後に回させて抱き上げるようにしていたが、小さい要介護者や腕力がない要介護者では首の後まで手が回らず、そのために要介護者はつかまるところがなく不安定となるので、介護者の負担が余計増え、転倒事故が生じ易いという問題があった。
【０００７】
本考案は、上記課題を解決するため、介護者が衣服の上に簡単に羽織ることができる介護者装着用ベルトを提供するものである。
【０００８】
【課題を解決するための手段】
そのために本考案の介護者装着用ベルトは、両端部に互いに係脱自在となる止具が設けられ有効長を調節可能とした胴巻ベルト部分と、介護者の左右両肩部から胸部に亘って垂下し下端部が前記胴巻ベルト部分に係着され有効長を調節可能とした肩掛ベルト部分とからなり、該肩掛ベルト部分に帯状布を縫い付けることにより要介護者がつかまり得る把手を介護者の胸部の左右に少なくとも２つ高低差をもって位置するように形成したことを特徴とする。
また本考案は上記介護者装着用ベルトにおいて、肩掛ベルト部分は介護者の首に掛けられるものであることを特徴とする。
また本考案は上記介護者装着用ベルトにおいて、肩掛ベルト部分は２本からなるものであって介護者の左右両肩部から背中に亘って垂下し下端部を前記胴巻ベルト部分に係着したものであることを特徴とする。
また本考案は上記介護者装着用ベルトにおいて、肩掛ベルト部分の下端部を前記胴巻ベルト部分にスライド可能に係着したことを特徴とする。
また本考案は上記介護者装着用ベルトにおいて、胴巻ベルト部分に要介護者がつかまり得る把手をスライド可能に設けたことを特徴とする。
【０００９】
【考案の実施の形態】
図１は本考案に係る介護者装着用ベルトの斜視図、図２はこれを介護者が着用したときの斜視図である。この介護者装着用ベルトは、定幅帯状で体重による引張荷重に耐え得る強度を持った織布からなる胴巻ベルト部分１と肩掛ベルト部分２とからなる。胴巻ベルト部分１の両端部には互いに係脱自在となる止具３ａ，３ｂが設けられている。この一方の止具３ａは一対の弾性爪４が拡縮自在に形成され、他方の止具３ｂは該弾性爪４が嵌入し得る角孔５を備えた角筒状部材からなり、該角筒状部材の両側部には切込部６が形成され、該弾性爪４を該角孔５中に嵌入すれば該弾性爪４が該角孔中で弾性的に拡張することで両止具３ａ，３ｂの係合状態が保たれ、該切込部６を指で摘んで該弾性爪４の間隔を縮小させることで該止具３ａと止具３ｂとを離脱できるように構成したものである。
なお、一方の止具３ａは着用する人の胴回り寸法に合わせて該胴巻ベルト部分１の有効長が調節可能となるように該胴巻ベルト部分１の端部を該止具３ａの基部に巻止している。
【００１０】
また、胴巻ベルト部分１の止具３ｂの近くに環状織布７を該胴巻ベルト部分１に沿ってスライド可能なるように設け、該環状織布７の表面に止布８を縫い付けてバックル９を止着するとともに、胴巻ベルト部分１の止具３ａの近くに環状織布１０を該胴巻ベルト部分１に沿ってスライド可能なるように設け、該環状織布１０の表面に止布１１を縫い付けてバックル１２を止着する。
肩掛ベルト部分２は図２に示したように介護者の首に掛けることによって介護者の左右両肩部から胸部に亘って垂下させるもので、その一方の下端部を前記バックル９に通し、他方の下端部を前記バックル１２に通すことにより、該肩掛ベルト部分２の有効長さを調節可能なるようにしている。
そして、該肩掛ベルト部分２の表面に同幅の帯状布１３を縫い付けることにより、介護者の胸部の左右に要介護者がつかまり得る夫々２つの把手１４，１５が高低差をもって形成されるようにする。
【００１１】
また、１６は前記環状織布７の後側で該胴巻ベルト部分１に沿ってスライド可能なるように環状織布１７ａ，１７ｂを設け、該環状織布の表面に両端部を縫い付けてなる帯状布からなる把手である。１８は同じく前記環状織布１０の後側で該胴巻ベルト部分１に沿ってスライド可能なるように環状織布１９ａ，１９ｂを設け、該環状織布の表面に両端部を縫い付けてなる帯状布からなる把手である。
【００１２】
この介護者装着用ベルトは、肩掛ベルト部分２を介護者の首に掛け、胴回りに胴巻ベルト部分１をまわして止具３ａ，３ｂを係合することにより、男女を問わず介護者の衣服の上に簡単に羽織ることができる。そして把手１４，１５が介護者の胸部の左右に高低差をもって位置することから、図３に使用状態を示したように、介護者が要介護者を抱き上げようとするに際し、要介護者はつかまり得る高さの把手を適宜つかむことができ、体力のない者でもこの把手をつかむことで安心して起き上がることができ、介護者にとっては要介護者を抱き上げるに要する力が軽減されることから、車椅子からベッドへ移動させる際などの介護が容易となる。また、要介護者は介護者の胴回りに位置する把手１６，１８をつかむこともできる。
【００１３】
一方、図４は本考案の他の実施形態を示すもので、この実施形態は２本の肩掛ベルト部分２ａ，２ｂが夫々介護者の左右両肩部に掛けられ、介護者の背中で該肩掛ベルト部分２ａ，２ｂをＸ状に交差させるとともに、胴巻ベルト部分１の後部分に一対の環状織布２０，２１を該胴巻ベルト部分１に沿ってスライド可能なるように設け、該表面に止布２２，２３を縫い付けてバックル２４，２５を夫々止着し、該バックル２４，２５に肩掛ベルト部分２ａ，２ｂの下端部を通すことで該肩掛ベルト部分２ａ，２ｂの有効長さを調節可能なるように係着してなる。なお、この実施形態では、肩掛ベルト部分２ａ，２ｂに上記把手１４，１５の他、介護者の背中側にも要介護者がつかまり得る把手２６，２７が同様に形成されるようにしている。このため抱き上げるに際して要介護者にこれらの把手２６，２７をつかませることもできる。
【００１４】
図４の実施形態に示したように、肩掛ベルト部分２ａ，２ｂの背中側下端部を胴巻ベルト部分１に係着することによっては、介護時に該肩掛ベルト部分２ａ，２ｂに掛かる引張力が胴巻ベルト部分１によって支えられるようになるので、図１に示した実施形態よりも介護者の首に掛かる荷重が軽減される利点がある。
【００１５】
同様に、図５，図６に介護者の正面図および背面図を示したように、この実施形態では並列状に肩掛ベルト部分２ａ，２ｂを設け、介護者の胸部にて両肩掛ベルト部分を結ぶ横断ベルト２８を設け、介護者の背部にて両肩掛ベルト部分を結ぶ横断ベルト２９を設けてなるものである。また、図７はさらに他の実施形態である介護者装着用ベルトを着用した介護者の背面図を示し、この実施形態では図１に示した介護者装着用ベルトの肩掛ベルト部分２に介護者の背面に渡る縦ベルト３０を設け、該縦ベルト３０に把手２６，２７を形成している。これによっても介護者の首に掛かる荷重を軽減することができる。また図８は介護者の背面に２本の縦ベルト３０ａ，３０ｂを平行に設けてなる実施形態を示すものである。なお、同図中、図１〜図３と同一符号は同一部分を表す。このように、本考案では介護者の背面のベルト張設構造は、種々の実施形態を想定することができる。
また、肩掛ベルト部分の有効長を調節可能とする構成についても、これら実施形態に示した例の他にも種々のものを構想し得る。
【００１６】
また、上記肩掛ベルト部分２，２ａ，２ｂの胴巻ベルト部分１とは環状織布を介して係着し胴巻ベルト部分に沿ってスライド可能なるようにしたことにより、介護者の胴回りが大きく違っていても該肩掛ベルト部分の両端を常に最適の位置に係着させることができる。
【００１７】
【考案の効果】
このように本考案の介護者装着用ベルトは、両端部に互いに係脱自在となる止具が設けられた胴巻ベルト部分と、介護者の左右両肩部から胸部に亘って垂下し下端部が前記胴巻ベルト部分に係着された肩掛ベルト部分とからなり、該肩掛ベルト部分に帯状布を縫い付けることにより要介護者がつかまり得る少なくとも２つの把手が介護者の胸部に高低差をもって形成されるようにしたので、要介護者がつかまることによって介護者にとっては要介護者を抱き上げるに要する力が軽減され介護を容易にするとともに、転倒事故等が防がれ安全性も増す。また、衣服の上に簡単に羽織ることができ、胴巻ベルト部分と肩掛ベルト部分を介護者の胴回りや背丈に合わせて調節できるので、何人でも即座に着用できる利点がある。
【図面の簡単な説明】
【図１】本考案に係る介護者装着用ベルトの実施形態を示した斜視図。
【図２】本考案に係る介護者装着用ベルトの着用状態を示した斜視図。
【図３】本考案に係る介護者装着用ベルトの使用状態を示した斜視図。
【図４】本考案に係る介護者装着用ベルトの着用状態を示した斜視図。
【図５】本考案に係る介護者装着用ベルトの着用状態を示した正面図。
【図６】図５の背面図。
【図７】本考案に係る介護者装着用ベルトの着用状態を示した背面図。
【図８】本考案に係る介護者装着用ベルトの着用状態を示した背面図。
【符号の説明】
１　　　　　　　　　　　　　　　　　　　　　　胴巻ベルト部分
２，２ａ，２ｂ　　　　　　　　　　　　　　　　肩掛ベルト部分
３ａ，３ｂ　　　　　　　　　　　　　　　　　　止具
７，１０　　　　　　　　　　　　　　　　　　　環状織布
９，１２　　　　　　　　　　　　　　　　　　　バックル
１３　　　　　　　　　　　　　　　　　　　　　帯状布
１４，１５　　　　　　　　　　　　　　　　　　把手
１６，１８　　　　　　　　　　　　　　　　　　把手
１７ａ，１７ｂ，１９ａ，１９ｂ，２０，２１　　環状織布
２４，２５　　　　　　　　　　　　　　　　　　バックル
【図１】
0003097737.tif 000003
【図２】
0003097737.tif 000004
【図３】
0003097737.tif 000005
【図４】
0003097737.tif 000006
【図５】
0003097737.tif 000007
【図６】
0003097737.tif 000008
【図７】
0003097737.tif 000009
【図８】
0003097737.tif 000010